(57)【特許請求の範囲】
【請求項１】
ＲＡＷ動画データを出力する撮像手段と、
前記ＲＡＷ動画データの現像処理を行い、所定の形式の現像された動画データを出力する現像手段と、
高解像度の動画データを出力するためのインタフェースを用いた所定の伝送方式に従い前記現像された動画データを外部の記録装置に出力する出力手段と、
前記ＲＡＷ動画データを前記記録装置に出力するための所定のモードが設定された場合に、前記ＲＡＷ動画データと、前記ＲＡＷ動画データであることを示す識別情報と、を前記所定の伝送方式に従って前記記録装置に出力するように、前記出力手段を制御する制御手段と、を有することを特徴とする撮像装置。
【請求項２】
前記制御手段は、前記現像された動画データを出力する場合に前記ＲＡＷ動画データであることを示す識別情報を出力しないように、前記出力手段を制御することを特徴とする請求項１に記載の撮像装置。
【請求項３】
前記出力手段は、前記所定のモードにおいて、前記ＲＡＷ動画データが出力されないブランキング期間に前記ＲＡＷ動画データであることを示す識別情報を出力することを特徴とする請求項１に記載の撮像装置。
【請求項４】
前記出力手段は、第１の出力部と第２の出力部とを有し、
前記制御手段は、前記所定のモードが設定された場合に、前記第１の出力部から前記現像された動画データを出力しながら、前記第２の出力部から前記ＲＡＷ動画データを出力するように、前記出力手段を制御することを特徴とする請求項１に記載の撮像装置。
【請求項５】
前記高解像度の動画データとは、１フレームの画素数が１９２０×１０８０である動画データを含むことを特徴とする請求項１に記載の撮像装置。
【請求項６】
撮像装置の撮像手段が、ＲＡＷ動画データを出力する撮像工程と、
前記撮像装置の現像手段が、前記ＲＡＷ動画データの現像処理を行い、所定の形式の現像された動画データを出力する現像工程と、
前記撮像装置の出力手段が、高解像度の動画データを出力するためのインタフェースを用いた所定の伝送方式に従い前記現像された動画データを外部の記録装置に出力する出力工程と、
前記撮像装置の制御手段が、前記ＲＡＷ動画データを前記記録装置に出力するための所定のモードが設定された場合に、前記ＲＡＷ動画データと、前記ＲＡＷ動画データであることを示す識別情報と、を前記所定の伝送方式に従って前記記録装置に出力するように、前記出力手段を制御する制御工程と、を有する
ことを特徴とする撮像装置の制御方法。
【発明の詳細な説明】
【技術分野】
【０００１】
本発明は、撮像装置及び制御方法に関し、特に高解像度の動画を記録する技術に関する。
【背景技術】
【０００２】
近年、デジタルカメラやデジタルビデオカメラのような撮像装置に設けられた撮像素子は、多画素化の傾向にある。撮像装置の多くは静止画像の記録に限らず、動画像の記録にも対応している。画素数の多い撮像素子を有する撮像装置では、所謂ＨＤ映像等の高解像度の動画像を記録することができる。
【０００３】
また、従来から撮像装置の中には映像出力インタフェース（映像出力機能）を有するものがある。このような撮像装置では、撮影した静止画像や動画像を家庭用のテレビジョン受像器等の表示装置に出力することで、表示装置での閲覧を可能にしている。近年では、高解像度の動画像の出力インタフェースとして、ＨＤ−ＳＤＩ（High Definition Serial Digital Interface）やＨＤＭＩ（High Definition Multimedia Interface（登録商標））が用いられている。
【０００４】
このような映像出力機能の利用は、閲覧に限らず利用可能である。上述したような高解像度の動画像は、特許文献１のように撮像により得られた画像データ（フレーム画像）を映像出力機能を利用して出力し、外部の記録装置において動画データに変換させることによって得ることもできる。
【０００５】
一方で、撮像装置の中には、撮像素子から出力された画像信号に対しての現像処理を、外部機器において実行するものがある。特許文献２では、撮像素子から出力された画像信号であるＲＡＷ画像データ（未処理の画像データ）を、ネットワークを介して外部機器に伝送して現像処理を行わせ、処理後の画像データを受信する電子カメラシステムが開示されている。
【先行技術文献】
【特許文献】
【０００６】
【特許文献１】特開２００５−３４１２４１号公報
【特許文献２】特開２００４−１９３６８３号公報
【発明の概要】
【発明が解決しようとする課題】
【０００７】
上述したようなＲＡＷ画像データは、信号処理の過程による情報損失を伴わないため、例えばＰＣ等で画像編集を行う際に、輝度補正やレベル補正等、高品位な調整を行うことができる。このため、ＲＡＷ形式の画像データで構成される動画データは、編集処理時の調整の多様性が見込め、有用であると考えられる。
【０００８】
ＲＡＷ画像データは現像処理を適用して得られた画像データに比べて情報量が多いため、ＲＡＷ形式の動画データの記録を撮像装置で行う場合、撮像装置の回路規模が増大してしまう。このため、ＲＡＷ形式の動画データの記録は、フレーム画像であるＲＡＷ画像データを記録機能に特化した外部記録装置に伝送し、該装置において動画データとして記録されることが好ましい。
【０００９】
例えば、１画素あたり１４ｂｉｔの情報量を有する１９２０pixel×１０８０pixelのＲＡＷ形式のフレーム画像を毎秒２４フレーム伝送する場合、データ伝送速度として
１９２０×１０８０×１４×２４≒６６５Ｍｂｐｓ
が要求される。これは近年の撮像装置に一般的に設けられているＵＳＢ（Universal Serial Bus）２．０の規格の伝送速度４８０Ｍｂｐｓを上回る。しかし、情報量の多いＲＡＷ画像データを連続的に伝送するために回路構成を対応させることは、回路規模の増大や生産コストの上昇につながるため現実的ではない。
【００１０】
一方、ＨＤＭＩは、所謂ＨＤＴＶ動画と呼ばれる、１９２０pixel×１０８０pixelのＹＵＶ４２２形式（８ｂｉｔ）のフレーム画像を毎秒２４フレーム伝送する映像出力に対して対応している。ＹＵＶ４２２形式では、２画素をセットとして輝度情報Ｙ以外の情報を該２画素で共有する形式であるため、８ｂｉｔのＹＵＶ４２２形式の画像は１画素あたりの情報量は１６ｂｉｔとなる。即ち、ＨＤＭＩは
１９２０×１０８０×１６×２４≒７５９Ｍｂｐｓ
の伝送速度を少なくとも有している。つまり、上述したようなＨＤ−ＳＤＩやＨＤＭＩ等の高解像度の動画像用の映像出力インタフェースを使用することで、ＲＡＷ形式のフレーム画像を外部記録装置に伝送してＲＡＷ形式の動画データとして記録することが可能である。しかしながら、ＨＤ−ＳＤＩやＨＤＭＩ等の高解像度の動画の映像出力インタフェースの規格では、ＲＡＷ画像データの伝送は考慮されていなかった。
【００１１】
本発明は、上述の問題点に鑑みてなされたものであり、高解像度の動画の映像出力インタフェースを使用してＲＡＷ画像データを外部記録装置に伝送し、外部記録装置においてＲＡＷ形式の動画データを生成することを目的とする。
【課題を解決するための手段】
【００１２】
前述の目的を達成するために、本発明の撮像装置は、以下の構成を備える。
ＲＡＷ動画データを出力する撮像手段と、ＲＡＷ動画データの現像処理を行い、所定の形式の現像された動画データを出力する現像手段と、高解像度の動画データを出力するためのインタフェースを用いた所定の伝送方式に従い現像された動画データを外部の記録装置に出力する出力手段と、ＲＡＷ動画データを記録装置に出力するための所定のモードが設定された場合に、ＲＡＷ動画データと、ＲＡＷ動画データであることを示す識別情報と、を所定の伝送方式に従って記録装置に出力するように、出力手段を制御する制御手段と、を有することを特徴とする。
【００１３】
また前述の目的を達成するために、本発明の撮像装置の制御方法は、以下の構成を備える。
撮像装置の撮像手段が、ＲＡＷ動画データを出力する撮像工程と、撮像装置の現像手段が、ＲＡＷ動画データの現像処理を行い、所定の形式の現像された動画データを出力する現像工程と、撮像装置の出力手段が、高解像度の動画データを出力するためのインタフェースを用いた所定の伝送方式に従い現像された動画データを外部の記録装置に出力する出力工程と、撮像装置の制御手段が、ＲＡＷ動画データを記録装置に出力するための所定のモードが設定された場合に、ＲＡＷ動画データと、ＲＡＷ動画データであることを示す識別情報と、を所定の伝送方式に従って記録装置に出力するように、出力手段を制御する制御工程と、を有することを特徴とする。
【発明の効果】
【００１５】
このような構成により本発明によれば、高解像度の動画の映像出力インタフェースを使用してＲＡＷ画像データを外部記録装置に伝送し、外部記録装置においてＲＡＷ形式の動画データを生成することが可能となる。
【図面の簡単な説明】
【００１６】
【図１】本発明の実施形態１に係る動画記録システムのシステム構成を示した図
【図２】本発明の実施形態に係るデジタルカメラ１００の機能構成を示したブロック図
【図３】本発明の実施形態に係るＰＣ２００の機能構成を示したブロック図
【図４】本発明の実施形態１に係る第１映像出力Ｉ／Ｆ１０９からＰＣ２００に対して出力されるデータを例示した図
【図５】本発明の実施形態２に係る動画記録システムのシステム構成を示した図
【発明を実施するための形態】
【００１７】
［実施形態１］
以下、本発明の例示的な実施形態について、図面を参照して詳細に説明する。なお、以下に説明する一実施形態は、動画記録システムに係る撮像装置の一例としての、ＨＤＭＩ映像出力が可能なデジタルカメラ１００と、ＨＤＭＩ映像入力が可能なＰＣ２００に、本発明を適用した例を説明する。しかし、本発明は、高解像度の動画の映像出力インタフェースを使用してＲＡＷ画像データを外部記録装置に伝送し、外部記録装置においてＲＡＷ形式の動画データを生成することが可能な任意の機器に適用可能である。
【００１８】
＜動画記録システムの構成＞
図１は、本発明の実施形態に係る動画記録システムのシステム構成を示した図である。
【００１９】
図１に示されるように、本実施形態の動画記録システムは、デジタルカメラ１００、ＰＣ２００、及び液晶テレビ４００で構成される。デジタルカメラ１００とＰＣ２００とはＨＤＭＩケーブル３００を介して接続され、ＨＤＭＩ規格に準拠した転送形式で映像の入出力が行われる。具体的にはデジタルカメラ１００において撮影され、ＰＣ２００に対して出力されるデータは、動画データのフレーム画像データとして出力される。出力はブランキング期間とアクティブ期間を設けて行われ、フレーム画像データはアクティブ期間においてＰＣ２００に伝送される。
【００２０】
本実施形態ではＰＣ２００は、ブランキング期間において伝送される動画補助データを参照することにより、アクティブ期間において伝送されるフレーム画像データの形式を認識し、形式に応じて該データを処理する。なお、本実施形態ではフレーム画像データとして、ＨＤＭＩ映像として再生可能な現像済みの通常のフレーム画像データと、現像処理がなされていない撮像素子からの出力であるフレームとしてのＲＡＷ画像データとがデジタルカメラ１００から出力される。即ち、デジタルカメラ１００はＲＡＷ形式の動画データ（ＲＡＷ動画）のフレームであるＲＡＷ画像データを、通常のＨＤＭＩ映像のフレーム画像データとして出力する。つまり、ＰＣ２００は、ブランキング期間において出力される動画補助データを参照することにより、続いて入力されるアクティブ期間のフレーム画像データがＲＡＷ画像データであるか否かを判断する。そしてＲＡＷ画像データであると判断した場合、ＰＣ２００はアクティブ期間に受信するＲＡＷ画像データをＲＡＷ形式の動画データを構成するフレームデータとして記録する。またデジタルカメラ１００は、ＲＡＷ画像データではないと判断した場合は、アクティブ期間に受信するフレーム画像データを液晶テレビ４００に出力して表示させる。
【００２１】
（デジタルカメラ１００の構成）
図２は、本発明の実施形態に係るデジタルカメラ１００の機能構成を示すブロック図である。
【００２２】
ＣＰＵ１０１は、デジタルカメラ１００が有する各ブロックの動作を制御する。具体的にはＣＰＵ１０１は、例えばＲＯＭ１０２に記憶されている撮像処理や映像出力処理のプログラムを読み出し、ＲＡＭ１０３に展開して実行することにより各ブロックの動作を制御する。
【００２３】
ＲＯＭ１０２は、例えば書き換え可能な不揮発性メモリであり、デジタルカメラ１００が有する各ブロックの動作プログラムに加え、各ブロックの動作において必要なパラメータや撮影設定情報等を記録する。
【００２４】
ＲＡＭ１０３は、揮発性メモリであり、デジタルカメラ１００が有する各ブロックの動作プログラムの展開領域としてだけでなく、各ブロックから出力された中間データ等を一時的に記憶する格納領域としても用いられる。
【００２５】
撮像部１０５は、例えばＣＣＤやＣＭＯＳセンサ等の撮像素子である。撮像部１０５は、結像光学系１０４を介して撮像素子の受光面に結像された光学像を光電変換し、得られたアナログ画像信号をＡ／Ｄ変換部１０６に出力する。なお、結像光学系１０４は、対物レンズや絞り等で構成され、ＣＰＵ１０１の制御により所定の駆動系がフォーカス調節動作や露出動作を行う。
【００２６】
Ａ／Ｄ変換部１０６は、入力されたアナログ画像信号に対してＡ／Ｄ変換処理を適用し、デジタル画像信号（ＲＡＷ画像データ）への変換を行う。Ａ／Ｄ変換部１０６は、得られたＲＡＷ画像データを画像メモリ１０８に出力し、記憶させる。画像メモリ１０８は、画像データ用の記憶領域である。
【００２７】
信号処理部１０７は、ＣＰＵ１０１の制御のもと、ＲＡＷ画像データに対して種々の画像処理を含む現像処理を行う。具体的には信号処理部１０７は画像メモリ１０８に記憶されているＲＡＷ画像データを読み出し、予め定められた映像出力形式に従って現像処理を行う。現像処理に含まれる画像処理には、ガンマ処理、補間処理、マトリクス変換等がある。本実施形態では信号処理部１０７は、種々の画像処理の適用後、ＹＵＶ４２２形式（８ｂｉｔ）の画像データへの変換を行う。
【００２８】
第１映像出力Ｉ／Ｆ１０９は、デジタルカメラ１００が備える映像出力インタフェースである。本実施形態では第１映像出力Ｉ／Ｆ１０９はＨＤＭＩであるものとして説明するが、本発明の実施はこれに限られるものではない。例えば第１映像出力Ｉ／Ｆ１０９は、ＨＤ−ＳＤＩ等、１フレームのフレーム画像データとして転送される容量が、撮像素子から出力されるＲＡＷ画像データの容量以上である映像出力インタフェースであればよい。
【００２９】
（ＰＣ２００の構成）
次に、本発明の実施形態に係るＰＣ２００の機能構成について、図３のブロック図を用いて説明する。なお、本明細書ではデジタルカメラ１００及びＰＣ２００の各々の構成ブロックを区別するために、ＰＣ２００が有する各ブロックについては、「ＰＣ」の接頭文字を付して説明するものとする。
【００３０】
ＰＣ−ＣＰＵ２０１は、ＰＣ２００が有する各ブロックの動作を制御する。ＰＣ−ＣＰＵ２０１は、例えばＰＣ−ＨＤＤ２０４に記憶されているＯＳや動画再生記録アプリケーションのプログラムを読み出してＰＣ−ＲＡＭ２０３に展開して実行することにより、各ブロックの動作を制御する。
【００３１】
ＰＣ−ＲＯＭ２０２は、例えば書き換え可能な不揮発性メモリであり、ＰＣ２００が有有する各ブロックの動作に必要なパラメータや、ＰＣ２００の起動設定等の情報を記憶する。
【００３２】
ＰＣ−ＲＡＭ２０３は、揮発性メモリであり、ＰＣ２００が有する各ブロックの動作プログムの展開領域としてだけでなく、各ブロックの動作において出力された中間データ等を一時的に記憶する格納領域としても用いられる。
【００３３】
ＰＣ−ＨＤＤ２０４は、例えばＨＤＤやＳＳＤ等のＰＣ２００に着脱可能に接続される記録装置である。ＰＣ−ＨＤＤ２０４は、上述したＯＳや動画再生記録アプリケーションが格納されるだけでなく、ＰＣ映像入力Ｉ／Ｆ２０５を介してＰＣ２００に入力された画像データが記録される。
【００３４】
ＰＣ映像入力Ｉ／Ｆ２０５は、ＰＣ２００が備える映像入力インタフェースであり、デジタルカメラ１００からＨＤＭＩケーブル３００を介して入力された動画データあるいは動画補助データを取得する。
【００３５】
ＰＣ映像出力Ｉ／Ｆ２０６は、ＰＣ２００が備える映像出力インタフェースである。本実施形態ではＰＣ映像出力Ｉ／Ｆ２０６は、液晶テレビ４００に表示する画像データを出力する。なお、液晶テレビ４００は不図示の液晶映像入力Ｉ／Ｆ４０１を有しており、ＰＣ２００から入力されたフレーム画像データを液晶映像入力Ｉ／Ｆ４０１において受信し、表示画面への画像提示を行う。
【００３６】
＜動画記録システムの動作＞
このような構成をもつ本実施形態の動画記録システムを用いた、ＲＡＷ動画の記録処理の動作について以下に説明する。なお、デジタルカメラ１００及びＰＣ２００の各々において行われる処理は、ＣＰＵ１０１あるいはＰＣ−ＣＰＵ２０１が、例えば対応する動作プログラムを読み出して実行することにより実現することができる。なお、以下に説明する記録処理の動作は、デジタルカメラ１００とＰＣ２００とがＨＤＭＩケーブル３００で接続された後、各機器において映像出力あるいは映像入力が可能な状態になった際に開始されるものとして説明する。
【００３７】
（デジタルカメラ１００の動作）
まず、デジタルカメラ１００における各ブロックの動作について説明する。本実施形態のデジタルカメラ１００は、第１映像出力Ｉ／Ｆ１０９を介して映像出力を行う場合、「モニタリングモード」と「動画記録モード」の２種類の状態を有する。
【００３８】
「モニタリングモード」とは、接続先であるＰＣ２００において、デジタルカメラ１００が撮影した画像データを略リアルタイムで閲覧可能とする状態である。即ち、デジタルカメラ１００からの出力は、通常のＨＤＭＩの映像出力と同じ仕様であり、ＰＣ２００において受信されたフレーム画像データは、液晶テレビ４００に出力することで動画データとして閲覧することが可能である。
【００３９】
また「動画記録モード」とは、接続先であるＰＣ２００に、ＲＡＷ画像データのフレームで構成されるＲＡＷ動画データを記録させる状態である。即ち、デジタルカメラ１００からの出力は、通常のＨＤＭＩの映像出力とは異なりＲＡＷ画像データが出力される。ＰＣ−ＣＰＵ２０１は、ＰＣ映像入力Ｉ／Ｆ２０５が受信したＲＡＷ画像データを、例えばＰＣ−ＨＤＤ２０４にＲＡＷ動画データの１フレームとして記録する動作を行う。
【００４０】
デジタルカメラ１００の状態（モニタリングモードと動画記録モード）の切り替えは、例えば不図示のレリーズボタンがユーザにより操作されることで、動画記録指示がなされたことをＣＰＵ１０１が判断することで行われる。なお、モードの切り替えは、１フレーム分のフレーム画像データの伝送が完了するアクティブ期間の終了時に行われるものとする。
【００４１】
図４は、モニタリングモード及び動画記録モードの各々において、第１映像出力Ｉ／Ｆ１０９から出力されるデータの詳細を示した図である。図４の例では、時刻ｔ１においてモニタリングモードが設定されており、その後時刻ｔ２で動画記録モードに設定された後に、時刻ｔ３で再びモニタリングモードに設定される場合を示している。
【００４２】
図示されるように、いずれのモードにおいてもデータの伝送中は、ブランキング期間とそれに続くアクティブ期間が繰り返される。ブランキング期間には水平ブランキング期間及び垂直ブランキング期間があり、ブランキング期間では上述したように動画補助データ（Auxiliary Data）や音声データが送信される。本実施形態では、ＨＤＭＩでのデータ伝送となるため、動画補助データとしてVendor Specific InfoFrameがデジタルカメラ１００からＰＣ２００に伝送される。ＣＰＵ１０１は、動画記録モードではVendor Specific InfoFrameに後続するフレーム画像データがＲＡＷ画像データであることを示す識別情報を含め、モニタリングモードではフレーム画像データが通常のＨＤＭＩの映像出力形式であることを示す識別情報を含めて作成する。そしてＣＰＵ１０１は作成したVendor Specific InfoFrameを、第１映像出力Ｉ／Ｆ１０９を介してＰＣ２００に伝送する。なお、モニタリングモードで伝送されるVendor Specific InfoFrameは、本実施形態では通常のＨＤＭＩの映像出力形式であることを示す識別情報が含まれるものとして説明するが、動画補助データはこれに限られない。即ち、動画補助データは後続するフレーム画像データがＲＡＷ画像データであるか否かを示すことができればよいため、ＲＡＷ画像データであることを示す識別情報を含まない構成であればよい。
【００４３】
またフレーム画像データについては上述したように、モニタリングモードではＹＵＶ４２２形式（８ｂｉｔ）の画像データ、動画記録モードではＲＡＷ画像データが出力される。具体的にはＣＰＵ１０１は、設定されているモードを判断し、モニタリングモードである場合には画像メモリ１０８に記憶されているＲＡＷ画像データを読み出して信号処理部１０７に伝送し、ＹＵＶ４２２形式（８ｂｉｔ）の画像データへの変換を行わせる。そしてＣＰＵ１０１は、得られた該形式の画像データを第１映像出力Ｉ／Ｆ１０９に伝送し、アクティブ期間においてＰＣ２００に対して出力させる。またＣＰＵ１０１は、設定されているモードが動画記録モードであった場合には画像メモリ１０８に記憶されているＲＡＷ画像データを読み出し、変換処理を行わずに第１映像出力Ｉ／Ｆ１０９に伝送し、アクティブ期間においてＰＣ２００に対して出力させる。
【００４４】
（ＰＣ２００の動作）
次にＰＣ２００における各ブロックの動作について説明する。なお、本実施形態ではＰＣ２００において動画記録アプリケーションが実行され、該アプリケーションにおいて以下のような動作が実行されるものとして説明するが、本発明の実施はこれに限られない。即ち、データが入力された場合に、以下の処理と同等の動作を行う専用回路によって実現されても良いことは言うまでもない。
【００４５】
ＰＣ−ＣＰＵ２０１は、ＰＣ映像入力Ｉ／Ｆ２０５においてデータが受信されると、該データに基づいてアクティブ期間及びブランキング期間のいずれであるかを判断する。具体的にはＰＣ−ＣＰＵ２０１は、受信したデータが動画補助データあるいは音声データであった場合はブランキング期間、フレーム画像データであった場合はアクティブ期間として判断する。
【００４６】
ＰＣ−ＣＰＵ２０１はブランキング期間において受信した動画補助データを解析し、続くアクティブ期間において受信するフレーム画像データがＲＡＷ画像データであることを示す識別情報が含まれているか否かを判断する。そしてＰＣ−ＣＰＵ２０１は、ＲＡＷ画像データであることを示す情報が含まれる場合は、続いてＰＣ映像入力Ｉ／Ｆ２０５において受信するフレーム画像データを、ＲＡＷ動画のフレームとしてＰＣ−ＨＤＤ２０４に記録する。またＰＣ−ＣＰＵ２０１は、ＲＡＷ画像データであることを示す情報が含まれない場合は、続いてＰＣ映像入力Ｉ／Ｆ２０５において受信するフレーム画像データを、ＰＣ映像出力Ｉ／Ｆ２０６に伝送して液晶テレビ４００に表示させる。
【００４７】
なお、受信するフレーム画像データがＲＡＷ画像データである場合、受信しているフレーム画像データを液晶テレビ４００に対して表示するためには、次のようにすればよい。ＰＣ−ＣＰＵ２０１は、受信したＲＡＷ画像データを不図示の画像処理部に伝送し、現像処理を実行させて得られた画像データをＰＣ映像出力Ｉ／Ｆ２０６から液晶テレビ４００に出力させればよい。
【００４８】
このように動画補助データにＲＡＷ画像データであることを示す識別情報を付加することにより、ＰＣ２００に対してフレーム画像データがＲＡＷ画像データであることを判別させることができる。またＰＣ２００においてＲＡＷ画像データが入力された場合に、該データをＲＡＷ形式の動画データのフレームとして記録する動画記録アプリケーションを実行することで、ＲＡＷ形式の動画データを生成することができる。
【００４９】
また、上述したようにＹＵＶ４２２形式（８ｂｉｔ）の画像データ（１９２０pixel×１０８０pixel）がＨＤＭＩケーブル３００を介してＰＣ２００に伝送される場合は、フレームあたりの情報量は
ＦＹＵＶ＝１９２０×１０８０×１６÷８＝３．９６ＭＢｙｔｅｓ
である。一方同様の画素数を有し、１画素が１４ｂｉｔの情報で構成されるＲＡＷ画像データのフレームあたりの情報量は、
ＦＲＡＷ＝１９２０×１０８０×１４÷８＝３．４６ＭＢｙｔｅｓ
となる。即ち、ＦＹＵＶ＞ＦＲＡＷが成り立つため、ＲＡＷ画像データを、ＨＤＭＩを用いて出力することが可能である。
【００５０】
なお、本実施形態では第１映像出力Ｉ／Ｆ１０９はＨＤＭＩ形式であるものとして説明したが、映像出力形式はＨＤ−ＳＤＩ等、１フレームのフレーム画像データとして転送される容量が、ＲＡＷ画像データの容量以上である映像出力インタフェースであればよい。例えばＨＤ−ＳＤＩ形式の場合、フレーム画像データはＹＵＶ４２２形式（１０ｂｉｔ）の画像データとなるため、フレームあたりの情報量は
ＦＳＤＩ＝１９２０×１０８０×２０÷３＝４．９４ＭＢｙｔｅｓ
となる。つまり、該情報量に収まる範囲であれば、ＲＡＷ画像データの画素数あるいは１画素の情報量を上昇させることができる。なお、動画補助データはＨＤ−ＳＤＩ形式ではユーザアプリケーション情報であり、該情報内にＲＡＷ画像データであることを示す識別情報を含めればよい。
【００５１】
またＨＤＭＩでは、出力する画像データの形式としてＲＧＢ４４やＤｅｅｐＣｏｌｏｒが用いられる場合は、フレームあたりの情報量は上記より多くなるため、同様にＲＡＷ画像データの画素数あるいは１画素の情報量を上昇させることができる。
【００５２】
また、本実施形態では動画記録モードにある場合に、変換処理が適用されていないＲＡＷ画像データが伝送されるものとして説明したが、本発明の実施はこれに限られない。即ち、ＰＣ２００においてＲＡＷ画像データで構成されるＲＡＷ動画データの記録が実現できればよいため、デジタルカメラ１００において可逆圧縮処理が適用されたＲＡＷ画像データが伝送される構成であってもよい。この場合ＰＣ−ＣＰＵ２０１は、可逆圧縮されたＲＡＷ画像データをフレームデータとしてＲＡＷ動画データを記録してもよいし、復元処理を行なって得られた圧縮前のＲＡＷ画像データをフレームデータとしてＲＡＷ動画データを記録してもよい。
【００５３】
同様に、本実施形態では、ＰＣ−ＣＰＵ２０１は受信したＲＡＷ画像データをそのままＲＡＷ動画データのフレームとして記録するものとして説明したが、以下のようであってもよい。ＰＣ−ＣＰＵ２０１はＲＡＷ画像データに対して不図示の画像処理部で可逆圧縮を行い、得られた画像データをＲＡＷ動画データのフレームとして記録する構成であってもよい。
【００５４】
以上説明したように、本実施形態の動画記録システムは、高解像度の動画の映像出力インタフェースを使用してＲＡＷ画像データを外部記録装置に伝送し、外部記録装置においてＲＡＷ形式の動画データを生成することができる。具体的には動画記録システムは、撮像装置が出力したＲＡＷ画像を、動画伝送インタフェースを介して動画記録装置に伝送し、該動画記録装置においてＲＡＷ画像のフレームで構成されるＲＡＷ動画を記録する。撮像装置は、被写体を撮像して得られたＲＡＷ画像に対して現像処理を行なって生成された現像画像を、動画伝送インタフェースを介して動画記録装置に伝送する。撮像装置は、動画記録装置にＲＡＷ動画を記録させる状態である場合は、ＲＡＷ画像であることを示す識別情報を関連付けて、ＲＡＷ画像を現像画像として動画記録装置に伝送する。動画記録装置は、撮像装置から伝送された情報を受信し、受信された情報にＲＡＷ画像であることを示す識別情報が含まれる場合に、該情報に含まれるＲＡＷ画像を、ＲＡＷ動画を構成するフレームとして記録する。
【００５５】
このようにすることで、高品位な調整が可能なＲＡＷ形式の画像データで構成された動画データを取得することができる。
【００５６】
［実施形態２］
上述した実施形態では、動画補助データにＲＡＷ画像データであることを示す識別情報が含まれるか否かによって、ＰＣ２００において動画データの記録、及び液晶テレビ４００への表示出力のいずれを行うかを切り替えるものとして説明した。本実施形態では、ＲＡＷ動画データの記録を行なっている間も、液晶テレビ４００において撮像信号の閲覧が可能である構成について説明する。
【００５７】
＜動画記録システムの構成＞
本実施形態の動画記録システムにおいて各装置の構成は、デジタルカメラ１００が第２映像出力Ｉ／Ｆ１１０を備えることを除いて、上述した実施形態１と同様である。図５は、本実施形態の動画記録システムのシステム構成を示した図である。
【００５８】
図示されるように、本実施形態ではデジタルカメラ１００はＨＤＭＩケーブル３００を介してＰＣ２００及び液晶テレビ４００と接続される。即ち、ＨＤＭＩケーブル３００は第１映像出力Ｉ／Ｆ１０９とＰＣ映像入力Ｉ／Ｆ２０５、及び第２映像出力Ｉ／Ｆ１１０と液晶映像入力Ｉ／Ｆ４０１を接続する。本実施形態では、このように液晶テレビ４００に対して、デジタルカメラ１００から通常の映像出力としてのフレーム画像データが常時直接入力されるものとする。
【００５９】
＜動画記録システムの動作＞
（デジタルカメラ１００の動作）
上述した実施形態と同様に、本実施形態のデジタルカメラ１００もモニタリングモードと動画記録モードの２種類の状態を有する。以下、上述の実施形態と異なる点のみ説明する。
【００６０】
ＣＰＵ１０１は、設定されているモードがモニタリングモードである場合、画像メモリ１０８に記憶されているＲＡＷ画像データを読み出して信号処理部１０７に伝送し、ＹＵＶ４２２形式（８ｂｉｔ）の画像データへの変換を行わせる。そしてＣＰＵ１０１は得られた該形式の画像データを第２映像出力Ｉ／Ｆ１１０に伝送し、アクティブ期間においてＰＣ２００に対して出力させる。なお、このときブランキング期間にはＲＡＷ画像データであることを示す識別情報を含まない動画補助データが出力されるものとする。また、第１映像出力Ｉ／Ｆ１０９からは、ＲＡＷ画像データが出力される必要はないため、ＣＰＵ１０１は例えば画像メモリ１０８からのＲＡＷ画像データを読み出すことなく生成した全面黒の画像データを出力してもよい。このようにすることで、画像メモリ１０８から画像データを読み出すメモリ帯域を削減することができる。
【００６１】
一方、設定されているモードが動画記録モードである場合、ＣＰＵ１０１は画像メモリ１０８に記憶されているＲＡＷ画像データを読み出して信号処理部１０７及び第１映像出力Ｉ／Ｆ１０９に伝送する。第１映像出力Ｉ／Ｆ１０９に伝送されたＲＡＷ画像データは、上述した実施形態と同様にブランキング期間においてＲＡＷ画像データであることを示す識別情報を含む動画補助データが出力された後、ＰＣ２００に対して出力される。また信号処理部１０７に伝送されたＲＡＷ画像データは、モニタリングモードと同様にＹＵＶ４２２形式（８ｂｉｔ）の画像データへの変換が行われた後、第２映像出力Ｉ／Ｆ１１０に伝送されて液晶テレビ４００に対して出力される。
【００６２】
即ち、本実施形態ではモードに依らず、液晶テレビ４００に対してはＹＵＶ４２２形式（８ｂｉｔ）の画像データがフレーム画像データとして出力されるため、ユーザは液晶テレビ４００を用いて撮像信号の閲覧が可能である。つまり、デジタルカメラ１００が動画記録モードにある場合に、ＰＣ２００における現像処理を行うことなく、ユーザに対して撮像信号を提示することができる。このようにすることでＰＣ２００の動作負荷を低減することができる。
【００６３】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005836090.tif 000002
【図２】
0005836090.tif 000003
【図３】
0005836090.tif 000004
【図４】
0005836090.tif 000005
【図５】
0005836090.tif 000006